(57)【要約】      （修正有）【課題】マットレス及び枕部の上面の起伏を調整することができるマットレス上面の起伏調整構造を提供する。【解決手段】マットレスの下方に組み付けられ、そのうちの一部に支持構造１１が組み付けてあり、そのうちの他の部分がこれらの支持構造の上で設置され前記マットレスを押上げる複数のエアバネ１０ａ、１０ｂと、前記各エアバネのホース（１０ｃ）と連接し、これらのエアバネの内部の空気量を調整して各エアバネの伸縮を制御することにより、マットレス上面の起伏を調整する制御器２０と、を含むことを特徴とする。【選択図】図３
0003136844.tif 000002
【実用新案登録請求の範囲】
【請求項１】
マットレスの下方に組み付けられ、そのうちの一部に支持構造が組み付けてあり、そのうちの他の部分がこれらの支持構造の上で設置され前記マットレスを押上げる複数のエアバネと、
前記各エアバネのホースと連接し、これらのエアバネの内部の空気量を調整して各エアバネの伸縮を制御することにより、マットレス上面の起伏を調整する制御器と、を含むことを特徴とする、
マットレス上面の起伏調整構造。
【請求項２】
前記各支持構造は受け板を有し、前記受け板は支持構造が組付けられたエアバネの頂端に位置され、支持構造が組付けられないエアバネは、これらの受け板の上で設置されることを特徴とする、請求項１に記載のマットレス上面の起伏調整構造。
【請求項３】
更に、前記マットレスの上に枕部が設置してあり、前記枕部の下に若干のエアバネが設置してあり、前記各エアバネは前記制御器のホースと連接することを特徴とする、請求項１に記載のマットレス上面の起伏調整構造。
【請求項４】
前記各エアバネの底部にはホースが設けてあり、前記各エアバネは前記各ホースを介して前記制御器と連接することを特徴とする、請求項１に記載のマットレス上面の起伏調整構造。
【考案の詳細な説明】
【技術分野】
【０００１】
本考案は、マットレス上面の起伏調整構造に係り、特に、エアバネにてマットレスの上面の起伏を調整する構造に関するものである。
【背景技術】
【０００２】
一般の国民の睡眠時間は一日６時間程度であり、だから、国民の一生の大分の時間はベッドの上で過ごし、睡眠時間はどのように心地よくすることは極めて重要な課題になり、しかし、各国民の睡眠習慣は相違であるので、自分の睡眠習慣に適合するベッドの探しは、困難の任務になる。
【０００３】
市販しているマットレスは、ユーザがベッドの上で横になるときに、ユーザの身体の形によって変形するので、ユーザの睡眠姿勢が不良である場合には、自分は発覚できなくて矯正することもできない。
【考案の開示】
【考案が解決しようとする課題】
【０００４】
本考案の主な目的は、制御器によって複数のエアバネの内部の空気量を調整し、ひいてはこれらのエアバネの伸縮を調整し、これらのエアバネをマットレスの上面の下に設置すると、マットレス上面の起伏を調整可能になるマットレス上面の起伏調整構造を提供することにある。
【課題を解決するための手段】
【０００５】
上記目的を達成するためになされた本願の考案は、マットレスの下方に組み付けられ、そのうちの一部に支持構造が組み付けてあり、そのうちの他の部分がこれらの支持構造の上で設置され前記マットレスを押上げる複数のエアバネと、前記各エアバネのホースと連接し、これらのエアバネの内部の空気量を調整して各エアバネの伸縮を制御することにより、マットレス上面の起伏を調整する制御器と、を含むことを特徴とするマットレス上面の起伏調整構造であることを要旨としている。
【０００６】
本願の考案では、前記各支持構造は受け板を有し、前記受け板は支持構造が組付けられたエアバネの頂端に位置され、支持構造が組付けられないエアバネは、これらの受け板の上で設置されることを特徴とする請求項１に記載のマットレス上面の起伏調整構造であることを要旨としている。
【０００７】
本願の考案では、更に、前記マットレスの上に枕部が設置してあり、前記枕部の下に若干のエアバネが設置してあり、前記各エアバネは前記制御器のホースと連接することを特徴とする請求項１に記載のマットレス上面の起伏調整構造であることを要旨としている。
【０００８】
本願の考案では、前記各エアバネの底部にはホースが設けてあり、前記各エアバネは前記各ホースを介して前記制御器と連接することを特徴とする請求項１に記載のマットレス上面の起伏調整構造であることを要旨としている。
【考案の効果】
【０００９】
本考案のマットレス上面の起伏調整構造によれば、次のような効果がある。
（イ）制御器によって複数のエアバネの内部の空気量を調整し、ひいてはこれらのエアバネの伸縮を調整し、これらのエアバネをマットレスの上面の下に設置すると、マットレス上面の起伏を調整可能になる。
【００１０】
（ロ）マットレス上面の起伏を調整することにより、ユーザをマッサージすることができ、且つ各ユーザの体格によってこれらのエアバネの伸縮を調整すると、ユーザの寝心地が更に良くなり、睡眠中にマットレス上面の起伏を調整すると、ユーザの睡眠姿勢を矯正可能である。
【００１１】
（ハ）各支持構造は受け板を有し、前記受け板は支持構造が組付けられたエアバネの頂端に位置され、支持構造が組付けられないエアバネは、これらの受け板の上で設置されるので、マットレスは二段式で起伏可能であり、按摩および睡眠姿勢調整の効果は更に良くなる。
【考案を実施するための最良の形態】
【００１２】
以下、添付図面を参照して本考案の好適な実施の形態を詳細に説明する。
【００１３】
まず、図１乃至図６を参照する。本考案のマットレス上面の起伏調整構造は、複数のエアバネ１０ａ，１０ｂと、制御器２０と、を含む。
【００１４】
前記エアバネ１０ａ，１０ｂは、マットレスＡの下方に組み付けられ、前記各エアバネ１０ａ，１０ｂの底部にはホース１０ｃが設けてあり、前記各エアバネ１０ａ，１０ｂは前記各ホース１０ｃを介して前記制御器２０と連接すし、そのうちの一部（エアバネ１０ａ）に支持構造１１が組み付けてあり、前記支持構造１１は受け板１２を有し、前記受け板１２が前記エアバネ１０ａの頂端に位置され、なお、そのうちの他の部分（エアバネ１０ｂ）がこれらの受け板１２の上で設置され前記マットレスＡを押上げる。
【００１５】
前記制御器２０は、前記各エアバネ１０ａ，１０ｂのホース１０ｃと連接し、これらのエアバネ１０ａ，１０ｂの内部の空気量を調整して各エアバネ１０ａ，１０ｂの伸縮を制御することにより、マットレス上面の起伏を調整する。
【００１６】
次に、図４を参照しながら本考案の使用状態を詳細に説明する。まず、制御器２０にて各エアバネ１０ａ，１０ｂの内部の空気量を調整することにより、各エアバネ１０ａ，１０ｂの伸縮が制御され、そうすると、支持構造１１を有するエアバネ１０ａは、支持構造１１の受け板１２上で設置されたエアバネ１０ｂの昇降を制御可能であり、なお、受け板１２上で設置されたエアバネ１０ｂは自身の伸縮によってマットレスＡの上面の起伏を調整可能であり、だから、本考案のマットレスＡは二段式で起伏可能である。
【００１７】
また、図５と図６に示すように、マットレスＡの上に枕部Ｂを設置してもよく、前記枕部Ｂの下に若干のエアバネ１０ｂが設けてあり、各エアバネ１０ｂはホース１０ｃを介して制御器２０と連接し、前記制御器２０によってエアバネ１０ｂの伸縮が制御され、これにより、枕部Ｂの上面の起伏を調整可能である。
【図面の簡単な説明】
【００１８】
【図１】本考案の実施例のマットレスをベッドに設置した状態の斜視図である。
【図２】本考案をマットレスの下に組み付けた状態を示す平面概略図である。
【図３】本考案の実施例の側面概略図である。
【図４】本考案によってマットレスの起伏を調整する状態の側面概略図である。
【図５】本考案のマットレスの上に枕部を設置した状態の平面図である。
【図６】本考案の実施例のマットレスの下方にエアバネを設置した状態の側面図である。
【符号の説明】
【００１９】
１０ａ，１０ｂ    エアバネ
１０ｃ    ホース
１１      支持構造
１２      受け板
２０      制御器
Ａ        マットレス
Ｂ        枕部
【図１】
0003136844.tif 000003
【図２】
0003136844.tif 000004
【図３】
0003136844.tif 000005
【図４】
0003136844.tif 000006
【図５】
0003136844.tif 000007
【図６】
0003136844.tif 000008